(57)【要約】  本開示は、導電電極と、誘電体層と、二次元層状材料からなる検知電極と、電磁放射線を吸収することができる光活性層とを備える感光装置に関する。また、本装置は、検知電極の電位を判定するための片端測定電極を備える。【選択図】図２ａ
2021511676.tif 000002
【特許請求の範囲】
【請求項１】
水平な基板表面の第１の領域に位置する感光装置であって、
第１の側及び第２の側を有する、実質的に水平な第１の導電電極であって、少なくとも前記第１の領域上にある、第１の導電電極と、
第１の側及び第２の側を有する、実質的に水平な第１の誘電体層であって、第１の側が、少なくとも前記第１の領域上にある場所において、前記第１の導電電極の第２の側と接している、第１の誘電体層と、
第１の側及び第２の側を有する、実質的に水平な検知電極であって、二次元層状材料からなり、第１の側が、少なくとも前記第１の領域上にある場所において、前記第１の誘電体層の第２の側と接している、検知電極と、
第１の側及び第２の側を有する、実質的に水平な光活性層であって、電磁放射線を吸収することができる半導体材料からなり、第１の側が、少なくとも前記第１の領域上にある場所において、前記検知電極の第２の側と接している、光活性層と
を備える感光装置において、
前記検知電極の電位を判定するための片端測定電極であって、前記水平な基板表面の接触領域上にある場所において、前記検知電極の第１又は第２の側のいずれかと接している、片端測定電極を備える
ことを特徴とする、感光装置。
【請求項２】
第１の側及び第２の側を有する、実質的に水平な第２の導電電極をさらに備え、
前記第２の導電電極の第１の側が、少なくとも一部が前記第１の領域上にある場所において、前記光活性層の第２の側と接している
ことを特徴とする、請求項１に記載の感光装置。
【請求項３】
第１の側及び第２の側を有する、実質的に水平な第２の誘電体層であって、第１の側が、少なくとも一部が前記第１の領域上にある場所において、前記光活性層の第２の側と接している、第２の誘電体層と、
第１の側及び第２の側を有する、実質的に水平な第２の導電電極であって、第１の側が、少なくとも一部が前記第１の領域上にある場所において、前記第２の誘電体層の第２の側と接している、第２の導電電極と
をさらに備える
ことを特徴とする、請求項１に記載の感光装置。
【請求項４】
前記検知電極に電荷キャリアを移送する、又は、前記検知電極から電荷キャリアを移送するためのリセット電極であって、前記水平な基板表面のリセット領域上にある場所において、前記検知電極の第１又は第２の側のいずれかと接している、リセット電極をさらに備える
ことを特徴とする、請求項１〜３のいずれか１項に記載の感光装置。
【請求項５】
前記第１の導電電極、前記第１の誘電体層及び前記光活性層が、前記第１の領域に隣接する基準ピクセル領域上にもあり、
前記感光装置が、第１の側及び第２の側を有する、実質的に水平な基準電極であって、二次元層状材料からなる、基準電極を備え、
前記第１の誘電体層の第１の側が、前記基準ピクセル領域上にある場所においても、前記第１の導電電極の第２の側と接しており、
前記基準電極の第１の側が、前記基準ピクセル領域上にある場所において、前記第１の誘電体層の第２の側と接しており、
前記光活性層の第１の側が、前記基準ピクセル領域上にある場所においても、前記基準電極の第２の側と接しており、
前記感光装置が、前記基準電極の電位を判定するための片端基準測定電極であって、基準接触領域上にある場所において、前記基準電極の第１又は第２の側のいずれかと接している、片端基準測定電極を備え、
前記感光装置が、前記基準ピクセル領域上にあるマスク層であって、前記第１の領域よりも前記基準ピクセル領域の光活性層における電磁放射線吸収量を遥かに少なくする、マスク層を備える
ことを特徴とする、請求項１〜４のいずれか１項に記載の感光装置。
【請求項６】
複数の第１の領域を有する水平な基板表面に設けられた複数の感光装置のアレイを備え、各感光装置が第１の領域に位置する、光検出器において、
１又は複数の実質的に水平な第１の導電電極及び１又は複数の実質的に水平な第１の誘電体層であって、各々、第１の側及び第２の側を有し、各第１の誘電体層の第１の側が、少なくとも、前記基板表面の１又は複数の第１の領域上にある場所において、対応する第１の導電電極の第２の側と接している、第１の導電電極及び第１の誘電体層と、
各第１の領域上にあって、特定の第１の領域専用となる、実質的に水平な検知電極であって、二次元層状材料からなり、第１の側及び第２の側を有し、第１の側が、対応する第１の領域上にある場所において、対応する第１の誘電体層の第２の側と接している、検知電極と、
１又は複数の実質的に水平な光活性層であって、各々、第１の側及び第２の側を有し、第１の側が、前記基板表面の少なくとも１つの第１の領域上にある場所において、少なくとも１つの検知電極の第２の側と接している、光活性層と
を備え、
前記各感光装置が、対応する検知電極の電位を判定するための片端測定電極であって、前記水平な基板表面の接触領域上にある場所において、対応する検知電極の第１又は第２の側のいずれかと接している、片端測定電極を備える
ことを特徴とする、光検出器。
【請求項７】
前記各感光装置が、１又は複数の実質的に水平な第２の導電電極であって、各々、第１の側及び第２の側を有し、第１の側が、前記基板表面の少なくとも１つの第１の領域上にある場所において、少なくとも１つの光活性層の第２の側と接している、第２の導電電極をさらに備える
ことを特徴とする、請求項６に記載の光検出器。
【請求項８】
前記各感光装置が、
第１の側及び第２の側を有する１又は複数の実質的に水平な第２の誘電体層であって、第１の側が、前記基板表面の少なくとも１つの第１の領域上にある場所において、少なくとも１つの光活性層の第２の側と接している、第２の誘電体層と、
１又は複数の実質的に水平な第２の導電電極であって、各々、第１の側及び第２の側を有し、第１の側が、前記基板表面の少なくとも１つの第１の領域上にある場所において、少なくとも１つの第２の誘電体層の第２の側と接している、第２の導電電極と
をさらに備える
ことを特徴とする、請求項６に記載の光検出器。
【請求項９】
１つの第２の導電電極がすべてのピクセルにわたって延在している
ことを特徴とする、請求項６〜８のいずれか１項に記載の光検出器。
【請求項１０】
前記光活性層の数が、前記ピクセルの数と等しいことにより、前記各光活性層が特定のピクセル専用となる
ことを特徴とする、請求項６〜９のいずれか１項に記載の光検出器。
【請求項１１】
１つの光活性層がすべてのピクセルにわたって延在している
ことを特徴とする、請求項６〜９のいずれか１項に記載の光検出器。
【請求項１２】
１つの第１の導電電極がすべてのピクセルにわたって延在している
ことを特徴とする、請求項６〜１１のいずれか１項に記載の光検出器。
【請求項１３】
前記各感光装置が、前記検知電極に電荷キャリアを移送する、又は、前記検知電極から電荷キャリアを移送するためのリセット電極であって、各々、前記水平な基板表面のリセット領域上にある場所において、対応する検知電極の第１又は第２の側のいずれかと接している、リセット電極をさらに備える
ことを特徴とする、請求項６〜１２のいずれか１項に記載の光検出器。
【発明の詳細な説明】
【技術分野】
【０００１】
本開示は、入射電磁放射線の強度を測定するために使用可能な感光センサに関し、より詳細には、二次元層状材料が検知電極として使用される感光センサに関する。本開示は、さらに、複数の感光ピクセルを備える光検出器に関する。
【背景技術】
【０００２】
トランジスタチャネルとして二次元層状材料を利用する感光装置を使用して、赤外線〜紫外線波長域の電磁放射線を検出することが可能である。グラフェン電界効果トランジスタ（ＧＦＥＴ）は、例えば、電磁放射線を照射すると導電率が増加する半導体グラフェンチャネルを含む。増加した導電率は電界効果トランジスタ形状にて測定することができる。電界効果トランジスタ形状では、ソース電極及びドレイン電極からの電流が、チャネルに隣接する電極に印加されたゲート電圧によって制御される。
【０００３】
一般に、二次元材料の１つの層における放射線吸収は、殆どの波長において全放射線強度の数パーセントに制限されるが、電界効果トランジスタによる吸収及びスペクトル応答性は、グラフェンチャネルに隣接する光活性層を追加することにより高めることができる。光活性材料は、典型的には半導体である。
【０００４】
光活性層を追加することで、光活性層と二次元層状材料との間にビルトイン電界を熱力学的平衡状態にて形成してもよい。これにより、電磁放射線が光活性材料に照射されると、光活性層に少数又は大多数の電荷キャリアを閉じ込めやすくなる。対応する大多数のキャリアがトランジスタチャネルに移動可能である。これにより、光活性層は、照射されると、二次元層状材料に電荷キャリアを提供し、二次元層状材料の導電率を変化させる。このキャリア倍増プロセスは、トランジスタのソース−ドレイン電流を照射線強度に比例させることが可能である。
【０００５】
所与の光学バンドギャップを有する半導体を光活性層に対して選択することにより、感光センサは、このバンドギャップを超える放射線波長に対して特に強く反応するよう増感することができる。
【０００６】
米国特許出願公開第２０１５／０３６４５４５号明細書は、グラフェン層に隣接する半導体層を有する電界効果トランジスタを開示する。
【０００７】
しかしながら、電界効果トランジスタには、ある固有の欠点がある。放射線強度により変化する出力変数は、ソース電極とドレイン電極との間を流れる電流である。ピクセル領域全体にわたる電流測定を可能にするには、ソース電極及びドレイン電極の配置が比較的複雑でなければならない。
【先行技術文献】
【特許文献】
【０００８】
【特許文献１】米国特許出願公開第２０１５／０３６４５４５号明細書
【発明の概要】
【発明が解決しようとする課題】
【０００９】
本開示の目的は、上述の欠点を軽減する装置を提供することである。
【００１０】
本開示の目的は、独立項に記載の特徴を有する装置によって達成される。本開示の好適な実施形態は従属項に開示する。
【課題を解決するための手段】
【００１１】
本開示は、電圧モード感光センサとして、光活性層と組み合わせた二次元層状材料を利用するという考えに基づくものであり、該電圧モード感光センサは、二次元層状材料の電位が、入射した電磁放射線の強度に比例する電圧モード感光センサである。
【発明の効果】
【００１２】
この構成の利点は、両端測定電極よりも形状やカバレッジ要件が厳格ではない片端測定電極を用いて、感光センサからの出力信号を読み取ることができるということである。他の利点も以下で述べる。
【図面の簡単な説明】
【００１３】
以下、添付の図面を参照して、好適な実施形態により本開示を詳細に説明する。
【００１４】
【図１】電圧モード感光装置を示す図である。
【図２ａ】第１の装置実施形態を示す図である。
【図２ｂ】第１の装置実施形態を示す図である。
【図２ｃ】対応する典型的な測定回路を示す図である。
【図２ｄ】対応する典型的な測定回路を示す図である。
【図２ｅ】前置増幅器のゲート電極に接続された感光装置を示す図である。
【図２ｆ】対応する典型的な測定回路を示す図である。
【図２ｇ】前置増幅器のゲート電極に接続された感光装置を示す図である。
【図２ｈ】対応する典型的な測定回路を示す図である。
【図２ｉ】前置増幅器のゲート電極に接続された感光装置を示す図である。
【図２ｊ】対応する典型的な測定回路を示す図である。
【図２ｋ】対応する典型的な測定回路を示す図である。
【図２ｌ】対応する典型的な測定回路を示す図である。
【図３ａ】第２の装置実施形態を示す図である。
【図３ｂ】第２の装置実施形態を示す図である。
【図４ａ】第３の装置実施形態を示す図である。
【図４ｂ】典型的な測定回路を示す図である。
【図５】第４の装置実施形態を示す図である。
【図６ａ】第５の装置実施形態を示す図である。
【図６ｂ】第５の装置実施形態を示す図である。
【図６ｃ】典型的な測定回路を示す図である。
【図７ａ】第６の装置実施形態を示す図である。
【図７ｂ】第６の装置実施形態を示す図である。
【図７ｃ】典型的な測定回路を示す図である。
【図８ａ】光検出器を示す図である。
【図８ｂ】光検出器を示す図である。
【図８ｃ】典型的な測定回路を示す図である。
【図８ｄ】光検出器を示す図である。
【図８ｅ】典型的な測定回路を示す図である。
【図９ａ】典型的なピクセル形状を示す図である。
【図９ｂ】典型的なピクセル形状を示す図である。
【図９ｃ】典型的なピクセル形状を示す図である。
【図９ｄ】典型的なピクセル形状を示す図である。
【図９ｅ】典型的なピクセル形状を示す図である。
【発明を実施するための形態】
【００１５】
図１は、検知電極１１として二次元層状材料が使用される電圧モード感光装置を示す。本装置は、検知電極１１の少なくとも一部を覆っている光活性層１２を備える。また、本装置は、検知電極１１と共にキャパシタを形成する第１の導電電極１３を備える。第１の誘電体層１４は、その一部が検知電極１１に覆われている。さらに、第１の誘電体層１４が、第１の導電電極１３を覆っている。これにより、電極間にキャパシタが形成される。これらの層はすべて、基板１５の水平な上面に堆積されている。
【００１６】
本開示において、「水平（ｈｏｒｉｚｏｎｔａｌ）」なる用語は、図１のｘ軸で部分的に示すｘｙ平面を指し、「垂直（ｖｅｒｔｉｃａｌ）」なる用語は、ｚ方向を指す。本開示において、「実質的に水平な層（ｓｕｂｓｔａｎｔｉａｌｌｙ  ｈｏｒｉｚｏｎｔａｌ  ｌａｙｅｒ）」等の表現は、当該層の主たる配向が基板平面により定まること意味する。各層は他の層の上に堆積された際に垂直方向に小さな段差を形成してもよいが、それにもかかわらず、その主たる配向により実質的に水平である。さらに、「上（ｔｏｐ）」、「下（ｂｏｔｔｏｍ）」、「垂直」、「水平」等の用語は、本装置の製造時又は使用時の基板の配向について何ら言及するものではない。本装置及び基板は、使用中又は製造中、任意の適切な方向に向けられていてもよい。例えば、本開示において「水平（ｈｏｒｉｚｏｎｔａｌ）」という層が垂直になるよう横向きであってもよい。言い換えると、「水平」及び「垂直」なる用語は、単に２つの直交する方向を定義するものであり、一方が基板表面と平行で、他方が基板表面に対して垂直である。
【００１７】
図１において、第１の領域１６１は、水平な基板表面上に画定することができる。この領域は、光活性層１２が検知電極１１と接続され、且つ、第１の検知電極が導電電極１６上にある場所によって画定されている。
【００１８】
図１に示す装置に放射線が照射されない場合、検知電極１１の電荷密度は、第１の導電電極１３に印加される電位ＶＢＧによって決まる。電極１１、１３間のキャパシタは、フェルミ準位が、検知電極１１と光活性層１２との界面間で等しくなるまで、光活性層１２からの電子又は正孔を引き付ける。これにより空乏領域が形成され、その結果、検知電極１１と光活性層１２との接合部分に内部電界が形成される。第１の導電電極は、実行する機能が電界効果トランジスタのゲート電極の機能と同様であるため、バックゲート電極と呼んでもよい。検知電極は、電荷変調層又は電位変調層と呼んでもよい。
【００１９】
電磁放射線が光活性層１２に吸収されると、該放射線により放出された電子−正孔対の一部が、検知電極１１と光活性層１２との界面における内部電界により分離される。光活性層に残存する放出された電荷キャリアは、光活性層に閉じ込められる。これらの閉じ込められた電荷キャリアの濃度は、一般に、少なくとも低照度下において、入射電磁放射線の強度に比例する。光活性層は電荷トラップ層と呼んでもよい。
【００２０】
一方、放射線により放出され、再結合する前に検知電極１１と光活性層１２との界面間を移送された、反対の種類の電荷キャリアは、検知電極の電荷密度を変化させる。界面間を移送される追加の電荷が、測定可能な程度に二次元材料の単位面積あたりの電荷密度を変化させることは、二次元層状材料独特の特性である。
【００２１】
この電荷密度の変化により、ΔＶＧの量だけ検知電極の電位が変化する。ΔＶＧは、次のように表すことができる。
【数１】
2021511676.tif 000003
【００２２】
式中、ｅは単位電荷を表し、Ｃｏｘは検知電極１１及び第１の導電電極１３間のキャパシタの静電容量を表し、ΔｎＧは二次元材料の電荷キャリア密度の変化を表し、Δｎｔｒａｐｐｅｄは光活性層に閉じ込められた電荷キャリアの密度を表す。
【００２３】
すなわち、最初に非照射状態で検知電極の電位を測定し、次に照射下で検知電極の電位を測定することにより、その照射強度を、測定電位から判定することができる。
【００２４】
本開示の典型的な実施形態において、グラフェンを、二次元層状材料の一例として使用する。ただし、本開示の任意の実施形態においては、ホスホレン（黒リン）、シリセン、ゲルマネン、スタネン、ＧａＮ、ＩｎＮ、ＩｎＰ、ＩｎＡｓ、ＢＡｓ、ＢＰ、又はＧａＰ等の他の二次元層状材料を使用してもよい。さらに、本開示の任意の実施形態で使用される二次元層状材料は、遷移金属ジカルコゲナイド又は遷移金属酸化物であってもよく、例えば、ＷＥ２、ＭｏＥ２、ＳｃＥ２、ＴｉＥ２、ＨｆＥ２、ＺｒＥ２、ＶＥ２、ＣｒＥ２、ＭｎＥ２、ＦｅＥ２、ＣｏＥ２、ＮｉＥ２、ＮｂＥ２、ＴｃＥ２、ＲｅＥ２、ＰｄＥ２、又はＰｔＥ２が挙げられ、Ｅは、Ｏ、Ｓ、Ｓｅ、又はＴｅを表す。二次元材料は１〜１０枚の原子層で構成され、その合計の厚さは０．３ｎｍ〜１０ｎｍである。
【００２５】
半導体特性又は半金属特性を備えた二次元層状材料とする場合、これらの材料はすべて、電磁放射線が照射された光活性層と接続したときに、上記の照射依存電位を示すように構成することができる。
【００２６】
本開示の典型的な実施形態において、量子ドットを、半導体電気特性を備えた光活性材料の一例として使用する。これらの量子ドットは、以下の群、すなわち、ＰｂＳ、ＰｂＳｅ、ＰｂＴｅ、ＣｄＳ、ＣｄＳｅ、ＣｄＴｅ、ＺｎＳ、ＺｎＯ、ＣｕＳ、Ｃｕ２Ｓ、Ｃｕ２Ｓｅ、ＣＺＴＳ、ＭｎＳ、Ｂｉ２Ｓ３、Ａｇ２Ｓ、Ａｇ２Ｓｅ、ＨｇＴｅ、ＨｇＣｄＴｅ、ＧａＳｅ、ＭｏＳ２、ＣＩＳ、ＩｎＡｓ、ＩｎＳｂ、Ｇｅ、Ｓｉ、グラフェン、又は、前述のコア／シェル構成要素のいずれかを有するコア／シェルナノ結晶から選択される半導体ナノ結晶又はコロイド量子ドットを含んでもよい。
【００２７】
あるいは、本開示のいずれかの実施形態において、光活性層は、金属カルコゲニド、金属ハロゲン化物、又はハイブリッドハロゲン化物ペロブスカイトを含むホスト材料に埋め込まれた前述の半導体ナノ結晶又はコロイド量子ドットのいずれかを含んでもよい。金属カルコゲニドは一般式ＭＥｎを有してもよく、式中、ＥはＳ、Ｓｅ又はＴｅを表し、例えば、ＡｓＳｘ、ＣｄＳ、ＣｄＳｅ、ＣｄＴｅ、ＣｕＩｎＳ２、ＳｎＳｘ、Ｉｎ２Ｓｅ又はＢｉ２Ｔｅ３であってもよい。金属ハロゲン化物は一般式ＭＸｎを有してもよく、式中、ＭはＰｂ、Ｂｉ、Ｃｄ、Ｉｎ、Ｚｎ、Ｓｎ、Ｃｕ、Ｆｅ、Ｇａ、Ｌｉ又はＳｂを表し、ＸはＩ、Ｂｒ又はＣｌを表し、例えば、ＰｂＩ２又はＢｉＩ３であってもよい。ハイブリッドハロゲン化物ペロブスカイトは一般式ＡＢＸ３を有してもよく、式中、ＡはＣｓ、ＣＨ３ＮＨ３又はＮＨ２ＣＨ＝ＮＨ２を表し、ＢはＰｂ又はＳｎを表し、ＸはＣｌ、Ｂｒ又はＩを表す。
【００２８】
ホスト材料に充填する量子ドットは、１％〜９０％の間で変化してもよい。半導体ナノ結晶又は量子ドットの直径は、例えば、２〜２０ｎｍであってもよい。感光性半導体材料は、使用される材料の光学バンドギャップによって定義される、０．４〜５μｍの波長範囲で実質的な光吸収を提供してもよい。
【００２９】
上記半導体材料上のキャッピング配位子は、有機分子又は無機分子、若しくは、両方の組合せを含んでもよい。有機配位子としては、１，２−エタンジチオール、３−メルカプトプロピオン酸、ベンゼンチオール等のアルキル又はアリールチオールが挙げられるが、これらに限定されない。また、有機配位子としては、アルキル又はアリールアミン、Ｎ−複素環、例えば、１，２−エチレンジアミン、ピリジン等が挙げられる。無機配位子としては、原子ハロゲン（Ｉ、Ｂｒ、Ｃｌ）、擬ハロゲン（ＳＣＮ）、又はカルコゲン（Ｓ、Ｓｅ）が挙げられる。また、無機配位子としては、金属ハロゲン化物又は金属カルコゲニドが挙げられる。
【００３０】
しかしながら、本開示のいずれかの実施形態において、光活性層は、結晶構造又はアモルファス構造を有する薄膜半導体層であってもよい。薄膜半導体層は、以下の群、ＰｂＳ、ＰｂＳｅ、ＰｂＴｅ、ＣｄＳ、ＣｄＳｅ、ＣｄＴｅ、ＺｎＳ、ＺｎＯ、ＣｕＳ、Ｃｕ２Ｓ、Ｃｕ２Ｓｅ、ＣＺＴＳ、ＭｎＳ、Ｂｉ２Ｓ３、Ａｇ２Ｓ、Ａｇ２Ｓｅ、ＨｇＴｅ、ＨｇＣｄＴｅ、ＧａＳｅ、ＭｏＳ２、ＣＩＳ、ＩｎＡｓ、ＩｎＳｂ、Ｇｅ又はＳｉから選択される材料を含んでもよい。
【００３１】
光活性層は、複数の副層からなる積層体を含んでもよく、各副層は、上述した半導体ナノ結晶材料又は薄膜半導体材料の一方を含む。各副層の材料の電気特性は、ショットキー接合、ｐ−ｎ接合、ｐ−ｉ−ｎ接合、ｎＢｎ接合、又はかかるヘテロ構造のいくつかの組合せが、積層体中の２枚以上の副層の間に形成されるように選択してもよい。
【００３２】
本開示において、「覆う（ｃｏｖｅｒ）」なる動詞は、直接的な接触を伴う垂直方向の配置を指す。所与の場所において第１の層が第２の層を「覆っている」場合、この場所において第１の層及び第２の層は垂直に配置され、両層は直接的に接している。すなわち、この２枚の層は、基板の所与の場所に順次堆積されている。この場所にまず第２の層が堆積され、次に同じ場所に第１の層が堆積されるため、これらの層は垂直に配置される。したがって、この場所内では、第２の層は垂直方向において第１の層の下にある。第１の層と第２の層との間に他の層が存在しないため、第１の層はこの場所で第２の層を「覆っている」。
【００３３】
動詞「覆う」は、さらなる修飾語を伴うことなく用いる場合、第２の層に関して第１の層に覆われていない場所はないという完全な垂直方向の配置を指す。「部分的に覆う（ｐａｒｔｌｙ  ｃｏｖｅｒ）」等の修飾語を伴う表現は、部分的な垂直配置を指すために用い、第２の層に関して第１の層に覆われていない場所がある。「少なくとも一部を覆う（ａｔ  ｌｅａｓｔ  ｐａｒｔｌｙ  ｃｏｖｅｒ）」等の修飾語を伴う表現は、完全な又は部分的な垂直方向の配置を指すために用いる。
【００３４】
本開示において、「上にある（ｏｖｅｒｌｉｅ）」及び「下にある（ｕｎｄｅｒｌｉｅ）」なる動詞は、直接的な接触を伴わない垂直方向の配置を指す。所与の場所において第１の層が第２の層の「上にある」又は「下にある」場合、この場所において第１の層及び第２の層は垂直に配置されているが、両層は直接的に接していない。すなわち、この２枚の層は共に基板の所与の場所に堆積されているが、第３の介在層が間に堆積されている。これらの３つの層はすべて、この場所で垂直方向に配置される。
【００３５】
本開示におけるいくつかの文脈において「接する（ｉｎ  ｃｏｎｔａｃｔ  ｗｉｔｈ）」なる用語は、直接的な物理的接触に加えて、直接的な物理的接触を伴わない電気的接触も意味する。すなわち、光活性層又はその一部が検知電極と接している場合、光活性層は、特殊な電子又は正孔輸送／阻止層等の中間層を介して検知電極と物理的に離間されていてもよいが、中間層は電荷キャリアを通過させるに十分な薄さであるため、検知電極とは依然として接している。電荷キャリアが例えばトンネル効果により中間層を通過する場合、光活性層は、依然して検知電極と「接している」と見なしてもよい。
【００３６】
（感光装置）
本開示は、水平な基板表面の第１の領域に位置する感光装置を説明する。本装置は、第１の側及び第２の側を有する、実質的に水平な第１の導電電極を備える。第１の導電電極は、少なくとも第１の領域上にある。また、本装置は、第１の側及び第２の側を有する、実質的に水平な第１の誘電体層を備える。第１の誘電体層の第１の側は、少なくとも第１の領域上にある場所において、第１の導電電極の第２の側と接している。また、本装置は、第１の側及び第２の側を有する、実質的に水平な検知電極を備える。検知電極は二次元層状材料からなる。検知電極の第１の側は、少なくとも第１の領域上にある場所において、第１の誘電体層の第２の側と接している。また、本装置は、第１の側及び第２の側を有する、実質的に水平な光活性層を備える。光活性層は、電磁放射線を吸収することが可能な半導体材料からなる。光活性層の第１の側は、少なくとも第１の領域上にある場所において、検知電極の第２の側と接している。
【００３７】
さらに、本装置は、検知電極の電位を判定するための片端測定電極を備える。測定電極は、水平な基板表面の接触領域上にある場所において、検知電極の第１又は第２の側のいずれかと接している。
【００３８】
本開示において、「片端測定電極（ｓｉｎｇｌｅ‐ｅｎｄｅｄ  ｍｅａｓｕｒｅｍｅｎｔ  ｅｌｅｃｔｒｏｄｅ）」なる用語は、検知電極の電位を外部の測定回路に送出する電極を意味する。また、「片端（ｓｉｎｇｌｅ‐ｅｎｄｅｄ）」なる用語は、測定電極が、検知電極と接続された他の測定電極と対になっていないことを意味する。
【００３９】
そうではあるものの、例えば、バックアップのために複数の測定電極を検知電極に接続することができる。また、リセット電極等の、検知電極に接続された他の電極を、測定電極として使用してもよい場合がある。ただし、複数の測定電極を検知電極に接続したとしても、検知電極の電位を判定するために使用するのであれば、該測定電極は片端測定用に構成しなければならない。片端測定電極は、電位を測定するための読出回路に接続されている。それらは、同じ検知電極に接続された他の測定電極と対になっていない。
【００４０】
本開示において用いる意味において、片端測定電極は、検知電極の異なる部分を異なる電位に設定しないし、設定することができない。また、検知電極の電流を駆動するために、又は、電流測定を行うために使用することができない。測定時には、検知電極のすべての部分が同電位である。対象の変数が検知電極を流れる電流である場合、片端測定電極は測定を行うには不十分である。かかる場合においては、検知電極及び電流測定用の読出回路に接続される一対の電極を含む両端測定電極が、検知電極間の電位差を設定し、電流を測定するのに必要とされる。
【００４１】
言い換えると、入射光強度に比例する電圧信号を感光装置に接続された外部の読出回路に出力するには、検知電極に接続された１つの片端測定電極で十分である。読出回路は、片端測定電極と基準電位との間の電圧を測定するよう構成されてもよい。片端測定電極は単測定電極と呼んでもよい。
【００４２】
（第１の装置実施形態）
図２ａ及び図２ｂは第１の装置実施形態を示す。符号２１〜２５、２６１は、図１の符号１１〜１５、１６１にそれぞれ対応する。ただし、グラフェンは、検知電極材料の図示例として使用し、半導体ナノ結晶（ＳＮＣ）層は、光活性層の図示例として使用する。図２ｂは、図２ａの「第１の側（ｆｉｒｓｔ  ｓｉｄｅ）」及び「第２の側（ｓｅｃｏｎｄ  ｓｉｄｅ）」なる表現の意味を示す。所与の層２９の「第１の側」２９１は、基板と対向する下側であり、「第２の側」２９２は、基板の反対側に面する上側である。この用語は、図２ａに示す第１の領域内のすべての層に当てはまる。
【００４３】
第１の領域内の積層体を説明する他の方法として、第１の導電電極２３は第１の領域における水平な基板表面を覆っており、第１の誘電体層２４は第１の領域における第１の導電電極を覆っている。検知電極２１は、少なくとも第１の領域において誘電体層を覆っている。光活性層２２は、第１の領域において検知電極２１の少なくとも一部を覆っている。これらの層２１〜２４はすべて第１の領域２６１上にある。
【００４４】
また、図２ａに示す本装置は片端測定電極２７を備える。測定電極２７は、水平な基板表面の接触領域２６２上にある場所において、検知電極２１の第１の側と接している。あるいは、測定電極は、グラフェン層２１の第２の側、若しくは、グラフェン層２１の第１の側及び第２の側の両方とさえ接することが可能である。
【００４５】
図２ａに示すように、検知電極を第１の領域２６１の外側にまで延在させることによって、基板表面の第１の領域２６１から離間して接触領域２６２を配置することは、多くの装置形状において簡便である。ただし、例えば、第１の領域は接触領域を取り囲んでいてもよい。いくつかの装置形状において、接触領域は第１の領域と重なり合っていてもよい。接触領域は、電流信号を伝送する必要がないため、第１の領域よりも大幅に小さくすることができる。さらに、検知電極の電位はその全表面にわたって同じであるため、グラフェン層２１の任意の自由選択可能な位置で、測定電極２７をグラフェン層２１に接触させることができる。これにより、以下でさらに詳細に説明するように、感光装置のピクセル形状に新しい可能性が開かれる。
【００４６】
本開示の任意の実施形態において、グラフェン層２１と光活性層２２とは共に第１の領域２６１を越えて延在してもよい。例えば、それらはピクセル全体を覆ってもよい。図２ａに示すように、片端測定電極２７がグラフェン層２１の第１の側のみに接続されている場合、それらは接触領域２６２上にあってもよい。
【００４７】
図２ｃに示すように、外部回路により電圧ＶＢＧを第１の導電電極２３に印加し、出力電圧ＶＧをグラフェン層２１より読み出すことが可能である。グラフェン層２１及び第１の導電電極２３はキャパシタを形成する。一般に、第１の誘電体層２４の厚さは、５０ｎｍ〜３００ｎｍであってもよい。ただし、５〜５０ｎｍ程度にまで薄くすることも可能であるし、３００〜１０００ｎｍ程度にまで厚くすることも可能である。半導体ナノ結晶層２２の厚さは、材料に応じて最適化ししてもよい。
【００４８】
感光装置は、本装置が電磁放射線に曝される取込モードと、先の取込モードにおいて本装置に入射した放射線強度に比例する出力電圧が片端測定電極より読み出される読出モードとの２つの交番するモードで動作してもよい。リセットモードと呼んでもよい第３のモードは、任意により読出モードの後でもよい。リセットモードは、後述の第５の装置実施形態においてより詳細に説明する。
【００４９】
取込モードにおいて、グラフェン層２１は、得られ得る任意の電位で浮遊可能である。好ましくは、半導体ナノ結晶層の空乏領域が拡大するように、ビルトイン電界が最大化するように、且つ、半導体からグラフェンへの少数の型のキャリアの移送が（エネルギ障壁の殆どない状態で）最も効果的となるように、電位を設定する。光子が光活性層に吸収されると、上述のようにして励起子がビルトイン電界によって分離し、半導体ナノ結晶層２２に閉じ込められた電荷とのバランスを取るようにして電荷がグラフェン層に蓄積される。電荷はグラフェン層２１から流出することができないため、また、静電容量Ｃｏｘは変化しないと想定されるため、グラフェン層２１の電位ＶＧは変化する。動作時は特に本装置に電流は流れないため、電力を殆ど消費しない。本装置の電圧出力は、グラフェンと半導体ナノ結晶と間の界面間の電圧の光誘起変化により決められる。接合電圧は、グラフェン及び半導体ナノ結晶のフェルミ準位に依存するが、グラフェン電界効果トランジスタの出力がゲート電圧に対して敏感であるほどには、感光装置の出力は電圧ＶＢＧに対して敏感ではない。また、本装置は、グラフェン層の電位のみが対象の変数である場合、グラフェン層の欠陥や不連続性にも耐性がある。
【００５０】
測定中にグラフェン層の電荷が漏出しないよう、高入力インピーダンスを有する読出回路に測定電極２７を結合してもよい。測定電極は電圧のみを測定するため、この電極とグラフェン層との間の接触抵抗は必ずしも非常に低くなくてもよい。同じことは、以下で説明するリセット電極にも当てはまる。
【００５１】
図２ｃは典型的な測定回路を示し、図中、Ｖ０＝Ａ・ＶＧ＋（１−Ａ）・ＶＲＥＦであり、式中、Ａは増幅器のゲインを表す。測定電極２７は、グラフェン層２１の比較的小さな接触領域に対してガルバニック接触していてもよく、測定電極２７からの引出線は、図２ｃの典型的な回路の演算増幅器の非反転入力端子に接続してもよい。
【００５２】
測定回路は、１つの正確な電圧基準のみを必要とする。片端測定電極が判定する電位ＶＧは、検知電極２１と共通基準電位ＶＲとの間の電位差として測定される。また、図２ｃに示す測定回路のＶＢＧ及びＶＲＥＦの大きさは、この共通基準電位ＶＲに対してできるだけ正確に設定する必要がある。共通基準電位ＶＲは、本装置における接地電位又は他の何らかの固定電位であってもよい。
【００５３】
他の構成において、測定電極２７からの引出線を電荷増幅器回路に接続してもよい。この構成において、電荷増幅器回路の負のフィードバックキャパシタは、検知電極の電位を、所定の基準レベルに維持し、増幅器は、検知電極での光生成電荷の測定値を出力する。これを図２ｄに示す。図中、要素２８８は低リークのリセットスイッチである。
【００５４】
他の実施において、フィードバック回路が光誘起電荷の測定値を取り込む間、検知電極の電位が取込シーケンス中ずっと所定のレベルに維持されるよう、第１の導電電極２３に印加した電圧ＶＢＧを動的に調整して光誘起電荷を補償することによりフィードバック制御を得る。
【００５５】
あるいは、測定電極２７がＭＯＳＦＥＴ前置増幅器の金属ゲート電極と直接接していてもよい。これを図２ｅに示す。あるいは、検知電極２１は、ＭＯＳＦＥＴ前置増幅器の金属ゲート電極に容量結合されていてもよい。これを図２ｇに示す。図中、２６は、ＭＯＳＦＥＴ前置増幅器のゲートに直接接続された結合電極を示す。結合電極は、検知電極２１の下に位置し、誘電体層により検知電極２１から離間されている。この構成において、ＭＯＳＦＥＴのゲートと検知電極との間はガルバニック接続ではない。
【００５６】
あるいは、測定電極６７自体が前置増幅器におけるＭＯＳＦＥＴゲート電極を構成してもよい。これを図２ｉに示す。基板２５はＣＭＯＳ基板であってもよい。ＣＭＯＳ基板においては、電界効果トランジスタがソース電極２８Ｓと、ドレイン電極２８Ｄと、第１の誘電体層２４のみによりグラフェン層２１から離間されたチャネル２９とから形成されている。同じ回路配置を図２ｊに模式的に示す。図中、２８２は前置増幅器ＦＥＴを示す。図２ｅ、図２ｇ、図２ｉに示す装置においては、グラフェン層２１及び第１の導電電極２３によるキャパシタの静電容量が読出回路の前端の入力静電容量と一致すると、最適な感度が得られうる。図２ｆ、図２ｈ、図２ｋに示す対応する回路において、この入力静電容量は、前置増幅器ＦＥＴ２８２のゲート−ソース静電容量Ｃｇｓに相当する。図２ｇに示す装置において、結合容量はＣｏｘ及びＣｇｓより大きくてもよい。図２ｌは測定回路を示し、図中、２８６はバイアス電圧源であり、２８１はリセットスイッチであり、２８２は再び前置増幅器ＦＥＴである。
【００５７】
検知電極２１と読出電子回路とのこれら他の界面のいずれかは、本開示の任意の実施形態によって実施してもよい。
【００５８】
（第２の装置実施形態）
図３ａは、積層体を逆の順で基板表面に堆積した一実施形態を示す。符号３１〜３４は、図２ａの符号２１〜２４にそれぞれ対応している。第１の領域及び接触領域は離間して図示していないが、それぞれ図２ａに示す領域に相当する。グラフェンを再び検知電極材料の図示例として使用し、半導体ナノ結晶（ＳＮＣ）層を光活性層の図示例として使用する。
【００５９】
図３ｂは、図３ｂの「第１の側（ｆｉｒｓｔ  ｓｉｄｅ）」及び「第２の側（ｓｅｃｏｎｄ  ｓｉｄｅ）」なる表現の意味を示す。本実施形態では、所与の層３９の「第１の側」３９１は、基板の反対側に面する上側であり、「第２の側」３９２は、基板と対向する下側である。この用語は、図３ａに示す第１の領域内のすべての層に当てはまる。
【００６０】
第１の領域内の積層体を説明する他の方法として、光活性層３２は第１の領域における水平な基板表面を覆っており、検知電極３１は第１の領域における光活性層を覆っている。第１の誘電体層３４は、少なくとも第１の領域において検知電極３１を覆っており、第１の導電電極３３は、少なくとも第１の領域において第１の誘電体層３４を覆っている。これらの層３１〜３４はすべて第１の領域上にある。さらに、平坦な表面を得るために、水平な基板表面にパターン形成した誘電体層３８を要してもよく、該平坦な表面には、第１の領域の外側にまで延伸するように検知電極を堆積させることができる。
【００６１】
第１の装置実施形態で説明した同じ測定回路を使用して、図３ａに示す感光装置からの出力信号をさらに測定してもよい。
【００６２】
必要以上に本開示を拡大しないために、各層の第１の側及び第２の側が第１の装置実施形態において上述し、図２ｂに示した順序に相当する構成にて、以下の装置実施形態のすべてを説明する。ただし、第２の装置実施形態において使用し、図３ｂに示した代替的順序は、以下の実施形態のすべてにおいて本装置を実施する代替的な方法である。
【００６３】
（第３の装置実施形態）
また、感光装置は、第１の側及び第２の側を有する、実質的に水平な第２の導電電極を備えてもよい。第２の導電電極の第１の側は、少なくとも一部が第１の領域上にある場所において、光活性層の第２の側と接していてもよい。
【００６４】
図４ａは、この第３の実施形態に係る感光装置を示す。符号４１〜４４、４７は、図２ａの符号２１〜２４、２７にそれぞれ対応している。第１の領域及び接触領域は離間して図示していないが、それぞれ図２ａに示す領域に相当する。グラフェンを再び検知電極材料の図示例として使用し、半導体ナノ結晶（ＳＮＣ）層を光活性層４２の図示例として使用する。図４ａに示すように、本装置は、第１の領域において光活性層４２を覆っている第２の導電電極４８を備える。
【００６５】
第２の導電電極４８は、半導体ナノ結晶層４２とオーミック接触又はショットキー接触のいずれかを形成することができる。例えば、第２の導電電極４８にＡｌ等の金属が使われていると、第２の導電電極４８は、半導体ナノ結晶に対するショットキー障壁を形成する。次いで、半導体ナノ結晶層において、両方の界面がショットキー障壁を呈する二重障壁構造が得られてもよく、光活性層４２と第２の導電電極４８との界面での障壁の高さを、第２の導電電極４８に印加する電圧を変えることにより調節してもよい。言い換えると、電荷キャリアが層４２に閉じ込められたままの場合の取込モード及び読出モードでの第１の値と、電荷キャリアが半導体ナノ結晶層４２から放出された場合の任意のリセットモードでの第２の値との間で電圧ＶＦＧを交番させることができる。
【００６６】
第１の導電電極４３及び第２の導電電極４８をそれぞれ所与の電圧に設定すると、グラフェン層４１の電位は該電圧間にある。半導体ナノ結晶層４２とグラフェン層４１との間のビルトイン電界により分離された電荷は、これら２つの層に閉じ込められたままである。
【００６７】
感光装置は、図５中、正のｚ軸の方向から照射されるため、第２の導電電極の少なくとも一部が透光性でなければならない。第２の導電電極は透光性の導電酸化物であってもよい。第２の導電電極に金属材料が用いられる場合、十分な量の光透過が得られる程度に薄くなければならない。第２の導電電極はトップゲート電極と呼んでもよい。
【００６８】
測定中にグラフェン層の電荷が漏出しないよう、高入力インピーダンスを有する読出回路に測定電極４７を結合してもよい。図４ｂは典型的な測定回路を示す。該測定回路は、グラフェン層４１に接続された任意のリセット電極のための回路を含む（このオプションは図４ａには示さないが、後述の第５の装置実施形態にて説明する）。
【００６９】
（第４の装置実施形態）
また、上述の第１及び第２の装置実施形態にて明記した特徴に加えて、感光装置は、第１の側及び第２の側を有する、実質的に水平な第２の誘電体層を備えてもよい。第２の誘電体層の第１の側は、少なくとも一部が第１の領域上にある場所において、光活性層の第２の側と接していてもよい。また、本装置は、第１の側及び第２の側を有する、実質的に水平な第２の導電電極を備えてもよい。第２の導電電極の第１の側は、少なくとも一部が第１の領域上にある場所において、第２の誘電体層の第２の側と接していてもよい。
【００７０】
図５は、この第４の実施形態に係る感光装置を示す。符号５１〜５４、５７は、図２ａの符号２１〜２４、２７にそれぞれ対応している。また、第１の領域及び接触領域は離間して図示していないが、それぞれ図２ａに示す領域に相当する。そして、グラフェンを再び検知電極材料の図示例として使用し、半導体ナノ結晶（ＳＮＣ）層を光活性層５２の図示例として使用する。図５に示すように、本装置は、第１の領域において半導体ナノ結晶層５２を覆っている第２の誘電体層５６と、第１の領域において半導体ナノ結晶層４２を覆っている第２の導電電極５８とを備える。
【００７１】
この構成において、第２の導電電極は、半導体ナノ結晶５２に電荷を注入したり、半導体ナノ結晶５２から電荷を抽出したりすることはできない。すなわち、第２の導電電極は、光活性層にリセット機能を付与することはできない。ただし、第２の導電電極は、検知電極５１と半導体ナノ結晶層５２との界面で、半導体ナノ結晶層５２内の空乏層の幅を伸ばしたり縮めたりすることが可能なバイアス電界を供与する。これにより、第２の導電電極は、空乏層が拡張して、電界が層５２内への電荷の閉じ込めを増強させるアクティブな取込モードと、電界が反転するか弱まって、光励起時に半導体ナノ結晶中の電荷キャリア分離が最小化する、いわゆるフラットバンド状態をもたらすシャッターモードとの間で本装置を切り替えることができる。
【００７２】
第３の装置実施形態同様、第２の導電電極５８は透光性の導電酸化物であってもよい。第２の導電電極に金属材料が用いられる場合、十分な量の光透過が得られる程度に薄くなければならない。
【００７３】
図４ｂに示す測定回路を、図５に示す装置に用いてもよい。
【００７４】
（第５の装置実施形態）
また、上述の第１、第２、及び、第３又は第４の装置実施形態にて明記した特徴に加えて、感光装置は、検知電極に電荷キャリアを移送する、又は、検知電極から電荷キャリアを移送するためのリセット電極を備えてもよい。リセット電極は、水平な基板表面のリセット領域上にある場所において、検知電極の第１又は第２の側のいずれかと接していてもよい。
【００７５】
図６ａは、この第５の実施形態に係る感光装置を示す。符号６１〜６５、６７は、図２ａの符号２１〜２５、２７にそれぞれ対応している。また、第１の領域及び接触領域は離間して図示していないが、それぞれ図２ａに示す領域に相当する。グラフェンを再び検知電極材料の図示例として使用し、半導体ナノ結晶（ＳＮＣ）層を光活性層６２の図示例として使用する。
【００７６】
上記実施形態と同様に、グラフェン層６１は、第１の領域を越えて接触領域にまで延在し、さらに、第１の領域の外部へリセット領域６６３にまで延在している。リセット領域６６３では、リセット電極６８がグラフェン層と接している。上記実施形態の測定電極２７、３７、４７、５７、６７と同様、本実施形態において、リセット電極６８は、グラフェン層６１のいずれかの側、又は、グラフェン層６１の両方の側と接していてもよい。第１の領域及び／又は接触領域は、リセット領域を取り囲んでいてもよく、又は、リセット領域と重なり合っていてもよい。図６ａの左下隅に示すスイッチは、取込モード及び読出モードでは開いた状態にあり、感光装置がリセットモードになると閉じる。リセットモードでは、グラフェン層２１に電荷キャリアを移送する、又は、グラフェン層２１から電荷キャリアを移送するのに適した電圧ＶＲＥＳＥＴをグラフェン層に印加してもよい。
【００７７】
ただし、測定電極６７及びリセット電極６８の両方として１つの電極を使用することも可能である。この代替例を図６ｂに示す。この構成において、読出モード及びリセットモードは、２つの分離した電極を使用する場合よりも僅かに遅くなるが、感光装置近傍にて必要な回路は簡素化される。
【００７８】
図６ｃは、図６ａに示す装置のための典型的な測定回路を示す。他の回路構成を使用してもよい。
【００７９】
（第６の装置実施形態）
第６の装置実施形態は、前述の５つの装置実施形態のいずれかと一緒に実施してもよい。本実施形態において、感光装置の第１の導電電極、第１の誘電体層及び光活性層が、第１の領域に隣接する基準ピクセル領域上にもある。本装置は、第１の側及び第２の側を有する、実質的に水平な基準電極を備える。基準電極は、二次元層状材料からなる。また、第１の誘電体層の第１の側は、基準ピクセル領域上にある場所においても、第１の導電電極の第２の側に接している。また、基準電極の第１の側は、基準ピクセル領域上にある場所において、第１の誘電体層の第２の側に接している。また、光活性層の第１の側は、基準ピクセル領域上にある場所において、基準電極の第２の側に接している。
【００８０】
また、本装置は、基準電極の電位を判定するための片端基準測定電極を備える。基準測定電極は、基準接触領域上にある場所において、基準電極の第１又は第２の側のいずれかと接している。また、本装置は、基準ピクセル領域上にあるマスク層を備える。マスク層は、第１の領域よりも基準ピクセル領域の光活性層における電磁放射線吸収量を遥かに少なくする。
【００８１】
基準ピクセルにより、系統的な測定誤差を引き起こす可能性のある、ドリフト、ピクセルアレイにわたるドープレベル変動、サーマルオフセット、その他要因に関連する誤差のための補償を算出することができる。第１の領域及び基準ピクセル領域は、同じ第１の導電電極、第１の誘電体層、光活性層を共有することができる。
【００８２】
第２の誘電体層及び／又は第２の導電電極を第１の領域の光活性層上にて使用する場合、これらの層は第１の領域に隣接する基準ピクセル領域上にあってもよく、また、第１の領域での積層と同じ順序で、基準ピクセル領域にて積層してもよい。
【００８３】
グラフェンを検知電極材料の図示例として使用すると、上述の説明より、第１の領域及び基準ピクセル領域が同じグラフェン電極を共有しないことが分かる。それにもかかわらず、これらの領域は互いに隣接しているため、グラフェン品質は、この２つの領域において非常に均一であると想定できる（同じドープレベル）。
【００８４】
感光装置からの測定信号は、差動モードで片端測定電極及び片端基準測定電極より読み取ることができる。差動モードでは、感光装置が照射されていなければ、検知電極のグラフェン層からの出力電圧と基準電極のグラフェン層からの出力電圧との間に僅かな差が生じる。感光装置が照射されると、マスク層に遮られるため、基準領域の光活性層に到達する放射線は極めて少なくなり、オフセット又はドリフト誤差のない電圧差を測定することができる。マスク層は、感光装置の最上層上に堆積させることができる任意の適切な不透光性・誘電性材料からなる層であってもよい。
【００８５】
図７ａは、水平ｘｙ平面における本実施形態のための典型的な方形ピクセル形状を示す。基準ピクセル領域７６４は第１の領域７６１に隣接している。なお、積層体において他の層は任意にパターン形成することができるが、グラフェン層だけはパターン形成してこれら２つの領域を離間させる必要がある。測定電極は、接触領域７６２上にある場所において第１の領域のグラフェン層と接しており、基準測定電極は、基準接触領域７６５上にある場所において基準ピクセルのグラフェン層と接している。
【００８６】
図７ｂは、典型的な円形形状の同領域を示す。図７ｃは、第１の領域からの出力ＶＧ及び基準領域からの基準出力ＶＧ，ｒｅｆを差動的に読み取るための典型的な測定回路を示す。
【００８７】
（光検出器）
光検出器は感光装置のアレイを備える。前述の装置実施形態で説明した感光装置は、ピクセル固有のパターン形成を行うことなくいくつかの層を複数のピクセル上に又はアレイ全体にわたってさえ作成することができるため、より大きなアレイに都合よくスケーリングすることができる。
【００８８】
本開示は、複数の第１の領域を有する水平な基板表面に設けられた複数の感光装置のアレイを備える光検出器を説明するものであり、各感光装置は第１の領域に位置する。光検出器は、１又は複数の実質的に水平な第１の導電電極と、１又は複数の実質的に水平な第１の誘電体層とを備える。各第１の導電電極及び各第１の誘電体層は、第１の側及び第２の側を有する。各第１の誘電体層の第１の側は、少なくとも、基板表面の１又は複数の第１の領域上にある場所において、対応する第１の導電電極の第２の側と接している。
【００８９】
また、光検出器は、各第１の領域上にある実質的に水平な検知電極を備える。これにより、各感知電極は、特定の第１の領域専用となる。各検知電極は二次元層状材料からなる。各検知電極は、第１の側及び第２の側を有する。各検知電極の第１の側は、対応する第１の領域上にある場所において、対応する第１の誘電体層の第２の側と接している。
【００９０】
また、光検出器は、１又は複数の実質的に水平な光活性層を備える。各光活性層は、第１の側及び第２の側を有する。各光活性層の第１の側は、基板表面の少なくとも１つの第１の領域上にある場所において、少なくとも１つの検知電極の第２の側と接している。
【００９１】
各感光装置は、対応する検知電極の電位を判定するための片端測定電極を備える。片端測定電極は、水平な基板表面の接触領域上にある場所において、対応する検知電極の第１又は第２の側のいずれかと接している。
【００９２】
また、各感光装置は、１又は複数の実質的に水平な第２の導電電極を備えてもよい。各第２の導電電極は、第１の側及び第２の側を有してもよい。各第２の導電電極の第１の側は、基板表面の少なくとも１つの第１の領域上にある場所において、少なくとも１つの光活性層の第２の側と接していてもよい。
【００９３】
あるいは、各感光装置は、第１の側及び第２の側を有する、１又は複数の実質的に水平な第２の誘電体層を備えてもよい。各第２の誘電体層の第１の側は、基板表面の少なくとも１つの第１の領域上にある場所において、少なくとも１つの光活性層の第２の側と接していてもよい。また、同感光装置は、１又は複数の実質的に水平な第２の導電電極を備えてもよい。各第２の導電電極は、第１の側及び第２の側を有してもよい。各第２の導電電極の第１の側は、基板表面の少なくとも１つの第１の領域上にある場所において、少なくとも１つの第２の誘電体層の第２の側と接していてもよい。
【００９４】
各層の第１の側及び第２の側が第１の装置実施形態において上述し、図２ｂに示した順序に相当する構成において、以下、光検出器装置構造を説明する。ただし、第２の装置実施形態において使用し、図３ｂに示した代替的順序は、以下の実施形態において各光検出器を実施する代替的な方法である。
【００９５】
図８ａは、２つのピクセルを有する光検出器を示す。水平な基板表面の一方の第１の領域８６１１に第１の感光装置が設けられ、他方の第１の領域８６１２に第２の感光装置が設けられている。１つの第１の導電電極８３が、基板表面の第１の領域の少なくとも両方を覆い、１つの第１の誘電体層８４が、少なくとも第１の領域における第１の導電電極を覆っている。
【００９６】
第１のピクセルは、少なくとも第１の領域８６１１において誘電体層を覆っている第１の検知電極８１１を含む。第２のピクセルは、少なくとも第１の領域８６１２において誘電体層を覆っている第２の検知電極８１２を含む。
【００９７】
最後に、図示した光検出器は、少なくとも第１の領域８６１１、８６１２において第１、第２の検知電極８１１、８１２を覆っている光活性層をさらに備える。共通の光活性層を共有する隣接するピクセル間のクロストークは、この層に選択された材料と、ピクセルのサイズ及び形状とに依存する。光活性層をパターン形成することによって、別の光活性層が各第１の領域の対応する検知電極を覆うようにすることが好ましい場合がある。このオプションを別途図示はしない。
【００９８】
また、第１のピクセルは、第１の接触領域８６２１上にある場所において第１の検知電極８１１と接している第１の片端測定電極８７１を含む。対応して、第２のピクセルは、第２の接触領域８６２２上にある場所において第２の検知電極８１２と接している第２の片端測定電極８７２を含む。
【００９９】
光検出器は、さらに多くのピクセルを備えてもよい。図８ａの両第１の領域上にある層８２〜８４は、同様に、基板の他のすべての第１の領域上にあってもよい。また、図示した構成において、第１の導電電極８３には、測定電極からの引出線が通過する各接触領域に適切な開口部を設ける必要があるものの、これらの層は、第１の領域間のいかなる介在領域にわたって延在してもよい。
【０１００】
図８ａに示すように、光検出器のすべてのピクセルにわたって第１の導電電極８３を所望の電圧ＶＢＧに設定するのに１つの引出線で十分である。また、上記第５の装置実施形態で説明した方法で、測定電極８７１、８７２にリセット機能を任意で追加することができる。
【０１０１】
各感光装置は、検知電極に電荷キャリアを移送する、又は、検知電極から電荷キャリアを移送するためのリセット電極を備えてもよい。各リセット電極は、水平な基板表面のリセット領域上にある場所において、対応する検知電極の第１又は第２の側のいずれかと接していてもよい。
【０１０２】
図８ｂは、第１、第２のリセット電極８８１、８８２が、それぞれ第１、第２の検知電極８１１、８１２と接して実装されている代替的な実施例を示す。この場合、第１の導電電極８３にも、基板に向けて延在するリセット電極引出線のための開口部を設ける必要がある。
【０１０３】
図８ｃは、図８ｂに示す装置をピクセルアレイの一部として実装するための回路を示す。この回路は、バイアス電圧源８９６と、リセットスイッチ８９１と、前置増幅器ＦＥＴ８９２と、負荷８９３と、ピクセルをバス８９５に接続することができるピクセル選択スイッチ８９４とを含む。
【０１０４】
第１の導電電極は、すべてのピクセルにわたって延在してもよい。アレイのすべてのピクセルに共通の第１の導電電極８３を使用する利点は、例えば、各感光装置下にあるＣＭＯＳ層から電気的に遮蔽する連続的又はほぼ連続的なシートとして第１の導電電極を実装することができる、ということである。図８ｄは、ＣＭＯＳ基板８５１に形成された光検出器を示す。第１の導電電極８３、接触電極８７１、８７２、リセット電極８８１、８８２は、同じ金属層よりパターン形成されている。測定電極８３は、ｘｙ平面において接触電極８７１、８７２、リセット電極８８１、８８２を取り囲んでいてもよい。図示するように、第１の誘電体層８４はパターン形成されて検知電極８１１、８１２を接触電極８７１、８７２、リセット電極８８１、８８２と接触させる。
【０１０５】
また、図示した装置は第２の導電電極８８を含む。第２の導電電極は、該第２の導電電極を含む任意の光検出器のすべてのピクセルにわたって延在していてもよい。任意により、光活性層８２と第２の導電電極８８との間に第２の誘電体層を堆積することができる。図示しないが、この層は、光検出器のすべてのピクセルにわたって延在していてもよい。
【０１０６】
光活性層８２は、本開示に示すいずれかの光検出器のすべてのピクセルにわたって延在していてもよい。あるいは、光活性層８２はパターン形成されて、電気的に分離した複数の光活性層であってもよい。かかる光活性層の数は、ピクセルの数と等しくてもよく、これにより、各光活性層は、特定のピクセル専用となる。
【０１０７】
図８ｅは、ＣＭＯＳ基板８５１に設けられた複数の感光装置ピクセルを備える光検出器を模式的に示す。該ピクセルの検知電極８１１〜８１９は、別途の読出回路に接続されている。各読出回路を対応する検知電極に結合させる、第１の導電電極８３内の開口部を除き、第１の導電電極８３及び光活性層８２はパターン形成されていない。誘電体層及び／又は第２の導電電極は図８ｅには図示されていないが、任意によりピクセルアレイ全体を覆っていてもよい。電気的にアクティブな装置層上に、カプセル封じ層を追加で堆積させてもよい。これらのカプセル封じ層は、光検出器の上側において、少なくとも一部が透光性を有する必要がある。
【０１０８】
（ｘｙ平面におけるピクセル形状）
装置ピクセルのサイズが十分に小さく、検知電極に用いる二次元材料の導電率が十分に高いと想定すると、ｘｙ平面における感光装置の形状は、測定電極の配置に制限されない。なぜなら、検知電極の電位は、検知電極全体にわたって同じであるためである。二次元材料の導電率が比較的低ければ、ピクセルサイズは、導電率の高い二次元材料を用いる装置におけるピクセルサイズより小さくてもよい。
【０１０９】
これらの制約とは別に、本開示に記載の感光装置においては、概して、電界効果トランジスタ形状を用いる装置よりも極めて自由にピクセル形状を選択することができる。なぜなら、本開示に記載の装置形状は、第１の領域にわたる集電要件に限定されないためである。検知電極の電位のみを測定する必要があれば、測定電極を、検知電極と接触させて任意の適切な場所に配置することができる。図９ａは、３つの典型的な形状、すなわち、左から右に向かって方形形状、線形形状、円形形状における検知電極９１及び測定電極９７を示す。例えば、１つ目はＶＧＡイメージャで使用してもよく、２つ目は線形アレイで使用してもよく、３つ目は１つの大型ピクセルのみを要する単ピクセル装置で使用してもよい。
【０１１０】
図９ｂは、例えば、図６ａに示す装置に用いてもよいピクセル形状を示す。符号９７、９８は、符号６７、６８にそれぞれ対応する。測定電極及びリセット電極は、方形検知電極の２個所の隅に位置する。
【０１１１】
図９ｃは、典型的なピクセル及びアレイ寸法を示す。４つの検知電極９１１〜９１４を図示する。１つの検知電極の幅ｄは、例えば、５〜５０μｍであってもよい。隣接するピクセル間の距離Ｌは、例えば、０．１〜３μｍであってもよい。測定電極及び／又はリセット電極の幅ｓは、例えば、０．５〜５μｍであってもよい。図９ｃに示すようにピクセル中央に測定電極及びリセット電極を配置すると、位置合せ誤差に対する許容が増えるため有利である。検知電極のパターン形成が、測定電極及びリセット電極に対して僅かにずれたとしても、（又は測定電極及びリセット電極が、検知電極のパターン形成に対して僅かにずれたとしても、）測定電極及びリセット電極は依然として各感光装置の第１の領域内にある。
【０１１２】
図９ｄは、図２ｉに示す装置に用いてもよい形状を示す。アクティブなピクセル領域は、ＣＭＯＳ電界効果トランジスタチャネル２９に隣接している。図２ｅ及び図２ｇに示した装置に同様の形状を使用してもよい。図９ｅは典型的なピクセル形状を示す。該ピクセル形状は、アクティブピクセル領域９６１と、検知電極９１及び検知電極９１によりゲート制御された前置増幅器電界効果トランジスタのチャネル９９にリセット電極９８を介して接続されたリセットスイッチ９８１とを含む。
【図１】
2021511676.tif 000004
【図２ａ】
2021511676.tif 000005
【図２ｂ】
2021511676.tif 000006
【図２ｃ】
2021511676.tif 000007
【図２ｄ】
2021511676.tif 000008
【図２ｅ】
2021511676.tif 000009
【図２ｆ】
2021511676.tif 000010
【図２ｇ】
2021511676.tif 000011
【図２ｈ】
2021511676.tif 000012
【図２ｉ】
2021511676.tif 000013
【図２ｊ】
2021511676.tif 000014
【図２ｋ】
2021511676.tif 000015
【図２ｌ】
2021511676.tif 000016
【図３ａ】
2021511676.tif 000017
【図３ｂ】
2021511676.tif 000018
【図４ａ】
2021511676.tif 000019
【図４ｂ】
2021511676.tif 000020
【図５】
2021511676.tif 000021
【図６ａ】
2021511676.tif 000022
【図６ｂ】
2021511676.tif 000023
【図６ｃ】
2021511676.tif 000024
【図７ａ】
2021511676.tif 000025
【図７ｂ】
2021511676.tif 000026
【図７ｃ】
2021511676.tif 000027
【図８ａ】
2021511676.tif 000028
【図８ｂ】
2021511676.tif 000029
【図８ｃ】
2021511676.tif 000030
【図８ｄ】
2021511676.tif 000031
【図８ｅ】
2021511676.tif 000032
【図９ａ】
2021511676.tif 000033
【図９ｂ】
2021511676.tif 000034
【図９ｃ】
2021511676.tif 000035
【図９ｄ】
2021511676.tif 000036
【図９ｅ】
2021511676.tif 000037
【国際調査報告】
2021511676.tif 000038
2021511676.tif 000039
2021511676.tif 000040
2021511676.tif 000041